(57)【要約】【課題】ユーザーが字を書くことが上手になることを補助する画像形成装置を提供する。【解決手段】画像形成装置１００は、画像読取部１０と、記憶部４０と、画像形成部２０と、制御部３０とを備える。記憶部４０は、複数の文字コードと、補助線８２とを記憶する。補助線８２は、複数の文字コードに対応する。画像形成部２０は、被記録媒体Ｐに画像を形成する。制御部３０は、画像形成部２０を制御する。制御部３０は、読取画像のうち、印７２によって囲まれて指定された指定文字に対応する指定文字コードを認識する。制御部３０は、指定文字コードと複数の文字コードとを比較し指定文字コードが複数の文字コードのいずれであるかを決定する。制御部３０は、決定された決定文字コードに対応する補助線８２を画像形成部２０が被記録媒体Ｐに形成するように制御する。【選択図】図１
2018004873.tif 000002
【特許請求の範囲】
【請求項１】
原稿に形成された画像を読み取り読取画像を取得する画像読取部と、
複数の文字コードと、前記複数の文字コードに対応する補助線とを記憶する記憶部と、
被記録媒体に画像を形成する画像形成部と、
前記画像形成部を制御する制御部と
を備え、
前記制御部は、前記読取画像のうち、印によって囲まれて指定された指定文字に対応する指定文字コードを認識し、前記指定文字コードと前記複数の文字コードとを比較し前記指定文字コードが前記複数の文字コードのいずれであるかを決定し、決定された決定文字コードに対応する前記補助線を前記画像形成部が前記被記録媒体に形成するように制御する、画像形成装置。
【請求項２】
前記補助線によって前記決定文字コードに対応する文字の手本を示す手本文字が規定される、請求項１に記載の画像形成装置。
【請求項３】
前記記憶部は、ユーザーと前記ユーザーの筆跡を示す筆跡情報とを関連付けて記憶し、
前記制御部は、前記筆跡情報に基づいて前記ユーザーを特定し、前記ユーザーごとに前記補助線を形成した履歴を示す履歴情報を前記記憶部が記憶するように制御し、前記履歴情報に基づいて前記画像形成部が前記補助線を形成するように制御する、請求項２に記載の画像形成装置。
【請求項４】
前記制御部は、前記履歴情報に基づいて前記手本文字に前記手本文字の書き順を追加する、請求項３に記載の画像形成装置。
【請求項５】
前記制御部は、前記履歴情報に基づいて前記手本文字の量を増やす、請求項３または請求項４に記載の画像形成装置。
【請求項６】
前記補助線は、分割された複数の分割補助線を含み、前記複数の分割補助線のうちの少なくとも１つによって文字が規定される、請求項１に記載の画像形成装置。
【請求項７】
前記複数の分割補助線のそれぞれは、直線状である、請求項６に記載の画像形成装置。
【請求項８】
前記複数の分割補助線のそれぞれの長さは同じである、請求項６または請求項７に記載の画像形成装置。
【請求項９】
前記記憶部は、ユーザーと前記ユーザーの筆跡を示す筆跡情報とを関連付けて記憶し、一般的な文字の形状を示す一般文字形状データを記憶しており、
前記制御部は、前記一般文字形状データと前記指定文字とを比較して前記指定文字が前記複数の文字コードのいずれであるかを決定できなかった場合、前記筆跡情報に基づいて、前記指定文字が前記複数の文字コードのいずれであるかを決定する、請求項１から請求項８のいずれか１項に記載の画像形成装置。
【請求項１０】
前記記憶部は、一般的な文字の形状を示す一般文字形状データを記憶しており、
前記制御部は、前記一般文字形状データと前記指定文字とを比較して前記指定文字が前記複数の文字コードのいずれであるかを決定できなかった場合、別のユーザーの前記読取画像に基づいて、前記指定文字が前記複数の文字コードのいずれであるかを決定する、請求項１から請求項８のいずれか１項に記載の画像形成装置。
【発明の詳細な説明】
【技術分野】
【０００１】
本発明は、画像形成装置に関する。
【背景技術】
【０００２】
コンピューターで文章を入力する機会が増えたとはいえ、手書きで文字を記載する機会は多い。特許文献１に記載のタブレットは、ペンによる手書き文字が入力可能である。特許文献１に記載のタブレットでは、ペンによって入力された手書き文字をパーツ毎に形の近いパーツに補正し手書き文字を補正する。
【先行技術文献】
【特許文献】
【０００３】
【特許文献１】特開平６−１３９２４３号公報
【発明の概要】
【発明が解決しようとする課題】
【０００４】
しかしながら、特許文献１に記載のタブレットでは、手書き文字が自動で補正されるため、ユーザーは手書き文字を練習する必要がなく、ユーザーは字を書くことが上手にならない。
【０００５】
本発明は上記課題に鑑みてなされたものであり、その目的はユーザーが字を書くことが上手になることを補助する画像形成装置を提供することにある。
【課題を解決するための手段】
【０００６】
本発明に係る画像形成装置は、画像読取部と、記憶部と、画像形成部と、制御部とを備える。前記画像読取部は、原稿に形成された画像を読み取り読取画像を取得する。前記記憶部は、複数の文字コードと、補助線とを記憶する。前記補助線は、前記複数の文字コードに対応する。前記画像形成部は、被記録媒体に画像を形成する。前記制御部は、前記画像形成部を制御する。前記制御部は、前記読取画像のうち、印によって囲まれて指定された指定文字に対応する指定文字コードを認識する。前記制御部は、前記指定文字コードと前記複数の文字コードとを比較し前記指定文字コードが前記複数の文字コードのいずれであるかを決定する。前記制御部は、決定された決定文字コードに対応する前記補助線を前記画像形成部が前記被記録媒体に形成するように制御する。
【発明の効果】
【０００７】
本発明によれば、ユーザーが字を書くことが上手になることを補助することができる。
【図面の簡単な説明】
【０００８】
【図１】本発明の実施形態に係る画像形成装置を示す模式図である。
【図２】（ａ）は、原稿の図である。（ｂ）および（ｃ）は、書き取り用紙の図である。
【図３】（ａ）は、原稿の図である。（ｂ）は、書き取り用紙の図である。
【図４】（ａ）は、原稿の図である。（ｂ）は、雛形用紙の図である。
【図５】本発明の実施形態に係る画像形成装置のユーザー登録方法と、ユーザー特定方法とを示すフローチャートである。
【図６】本発明の実施形態に係る画像形成装置の書き取り用紙印刷方法を示すフローチャートである。
【図７】本発明の実施形態に係る画像形成装置の文字の認識方法を示すフローチャートである。
【図８】原稿の図である。
【発明を実施するための形態】
【０００９】
以下、本発明の実施形態について、図面を参照しながら説明する。なお、図中、同一または相当部分については同一の参照符号を付して説明を繰り返さない。
【００１０】
図１および図２を参照して本発明に係る画像形成装置１００の実施形態を説明する。図１は、本発明の実施形態に係る画像形成装置１００を示す模式図である。図２（ａ）は、原稿Ｍの図である。図２（ｂ）および図２（ｃ）は、書き取り用紙８０の図である。
【００１１】
図１に示すように、画像形成装置１００は、画像読取部１０と、画像形成部２０と、制御部３０と、記憶部４０と、原稿台１２と、原稿搬送装置１１０と、操作パネル１２０と、給紙カセット１３０と、用紙搬送部１４０と、用紙排出部１７０とを備える。
【００１２】
画像読取部１０は、原稿Ｍに形成された画像を読み取り読取画像を取得する。詳しくは、画像読取部１０は、原稿搬送装置１１０によって搬送された原稿Ｍに形成された画像、または、原稿台１２に載置された原稿Ｍに形成された画像を読み取り読取画像を取得する。
【００１３】
画像形成部２０は、画像読取部１０によって読み取られた読取画像に基づいて被記録媒体Ｐに画像を形成する。
【００１４】
制御部３０は、画像形成部２０を制御する。制御部３０は、ＯＣＲ（Ｏｐｔｉｃａｌ  Ｃｈａｒａｃｔｅｒ  Ｒｅｃｏｇｎｉｔｉｏｎ）機能を有する。ＯＣＲ機能は、読取原稿に形成された画像に含まれる文字（例えば、平仮名、カタカナ、アルファベッド、漢字、数字、記号）を光学的に認識し、文字を文字コードに変換する機能である。
【００１５】
記憶部４０は、複数の文字コードと、複数の文字コードに対応する補助線とを記憶する。文字コードは、各文字に割り付けられたコードである。記憶部４０は、さらに、ユーザーとユーザーの筆跡を示す筆跡情報とを関連付けて記憶することが好ましい。
【００１６】
操作パネル１２０は、ユーザーに画像形成装置１００を操作させるために用いられる。給紙カセット１３０には、印刷用の被記録媒体Ｐが収容されている。印刷を行う際、給紙カセット１３０内の被記録媒体Ｐは、画像形成部２０を経由して用紙排出部１７０から排出されるように、用紙搬送部１４０によって搬送される。
【００１７】
画像形成装置１００は、図２（ａ）に示す原稿Ｍを読み取ることによって、図２（ｂ）に示す書き取り用紙８０を印刷することができる。
【００１８】
図２（ａ）に示すように、原稿Ｍには、手書き文字「あいうえお」が記載されている。手書き文字は、ユーザー（例えば、生徒）が記載した文字である。印７２は、指導者（例えば、先生）が記載した印である。指導者は、原稿Ｍに記載された手書き文字のうち、指導者がユーザーに対して指導すべきと判断した手書き文字を印７２で囲む。本実施形態では、手書き文字「お」が印７２によって囲まれている。印７２の形状は、本実施形態では丸である。
【００１９】
画像形成装置１００は、図２（ａ）に示す原稿Ｍを読み取ることによって、
図２（ｂ）に示すように補助線８２を被記録媒体Ｐに形成し、書き取り用紙８０を印刷する。補助線８２は、印７２で囲まれた文字に対応する。補助線８２は、鎖線である。補助線８２によって、印７２で囲まれた文字「お」の手本を示す手本文字「お」が規定される。ユーザーは、補助線８２を筆記用具でなぞることによって、「お」の書き方の練習をすることができる。
【００２０】
画像形成装置１００の書き取り用紙８０の印刷動作について説明する。まず、画像読取部１０は、原稿Ｍに形成された画像を読み取り、読取画像を取得する。本実施形態では、図２（ａ）に示す原稿Ｍを読み取ることによって、画像読取部１０は、「あいうえお」を含む読取画像を取得する。
【００２１】
制御部３０は、読取画像のうち、印７２によって囲まれて指定された指定文字に対応する指定文字コードを認識する。本実施形態では、指定文字「お」に対応する指定文字コードを認識する。
【００２２】
制御部３０は、制御部３０が認識した指定文字コードと、記憶部４０に記憶されている複数の文字コードとを比較する。制御部３０は、指定文字コードが複数の文字コードのいずれであるかを決定する。本実施形態では、制御部３０は、複数の文字コードのうち、指定文字「お」に対応する文字コードを決定する。本明細書において、制御部３０によって決定された文字コードを決定文字コードと記載することがある。
【００２３】
制御部３０は、決定文字コードに対応する補助線８２を画像形成部２０が被記録媒体Ｐに形成するように制御する。その結果、図２（ｂ）に示すように指定文字「お」の練習用の書き方用紙が印刷される。
【００２４】
図２（ｃ）に示すように、画像形成装置１００は、補助線８２に加えて、さらに手本文字「お」の書き順８４を追加して、書き取り用紙８０を印刷してもよい。書き順８４は、記憶部４０に記憶されている。本実施形態では、画像形成装置１００は、手本文字「お」の１画目の書き始めに数字の１を追加し、手本文字「お」の２画目の書き始めに数字の２を追加し、手本文字「お」の３画目の書き始めに数字の３を追加して、書き取り用紙８０を印刷する。ユーザーは、書き順通りに手本文字「お」を示す補助線８２を筆記用具でなぞることによって、「お」の書き方の練習をすることができる。
【００２５】
手本文字は、平仮名に限定されない。例えば、手本文字はアルファベッドでもよい。図３（ａ）は、原稿Ｍの図である。図３（ｂ）は、書き取り用紙８０の図である。画像形成装置１００は、図３（ａ）に示す原稿Ｍを読み取ることによって、図３（ｂ）に示す、手本文字「ｄ」の書き取り用紙８０を印刷する。
【００２６】
また、画像形成装置１００は、原稿Ｍを読み取ることによって、雛形用紙９０を印刷してもよい。図４（ａ）は、原稿Ｍの図である。図４（ｂ）は、雛形用紙９０の図である。
【００２７】
図４（ａ）に示すように、原稿Ｍは、荷物受取不在票である。原稿Ｍには、荷物番号として、手書き文字「１２３４５６７８」が記載されている。手書き文字は、ユーザー（例えば、荷物配達員）が記載した文字である。印７２は、指導者（例えば、荷物配達員の上司）が記載した印である。指導者は、原稿Ｍに記載された手書き文字のうち、判読しづらいと判断した手書き文字を印７２で囲む。本実施形態では、手書き文字「１」および手書き文字「７」が印７２によって囲まれている。
【００２８】
画像形成装置１００は、図４（ａ）に示す原稿Ｍを読み取ることによって、
図４（ｂ）に示すように補助線８２を被記録媒体Ｐに形成し、雛形用紙９０を印刷する。補助線８２は、分割された複数の分割補助線８６を含む。本実施形態では、補助線８２は、７つの分割補助線８６を含む。分割補助線８６は、直線状である。複数の分割補助線８６の少なくとも１つによって文字が規定される。例えば、７つの分割補助線８６の全てによって文字「８」が規定される。補助線８２は、印７２で囲まれた文字の種類に対応する。本実施形態では、数字である「１」、「７」が印７２によって囲まれているので、数字を記載するための補助線８２が被記録媒体Ｐに形成される。ユーザーは、複数の分割補助線８６のうち少なくとも１つをなぞることによって、判読しづらい数字を記載することを抑制することができる。
【００２９】
図１、図２および図５を参照して本発明に係る画像形成装置１００のユーザー登録方法と、ユーザー特定方法を説明する。図５は、本発明の実施形態に係る画像形成装置１００のユーザー登録方法と、ユーザー特定方法とを示すフローチャートである。
【００３０】
ステップＳ１０２：制御部３０は、筆跡情報についてのモードとして登録モードまたはユーザー特定モードのいずれのモードが選択されているかを判定する。制御部３０がユーザー特定モードであると判定した場合（ステップＳ１０２：ユーザー特定モード）、処理はステップＳ１１０に進む。制御部３０が登録モードであると判定した場合（ステップＳ１０２：登録モード）、処理はステップＳ１０４に進む。
【００３１】
ステップＳ１０４：スキャンして筆跡情報を取得する。詳しくは、画像読取部１０は、原稿Ｍに形成された画像を読み取り読取画像を取得する。そして、制御部３０は、印７２によって囲まれて指定された指定文字データから筆跡情報を取得する。筆跡情報は、ユーザーの筆跡を示す情報である。詳しくは、筆跡情報は、ユーザー固有の文字の書き方の特徴を示す情報である。筆跡情報は、例えば、文字を構成する線分のうち水平方向に延びる線分の傾きである。処理はステップＳ１０６に進む。
【００３２】
ステップＳ１０６：筆跡情報を紐付けたいユーザーを選択する。詳しくは、画像形成装置１００の操作パネル１２０に表示されたユーザーリストのうち一人のユーザーが操作者によって選択される。処理はステップＳ１０８に進む。
【００３３】
ステップＳ１０８：筆跡情報をユーザーに紐付ける（登録）。詳しくは、制御部３０は、ステップＳ１０４において取得された筆跡情報を、ステップＳ１０６において選択されたユーザーと関連付けて記憶部４０に記憶させる。処理は終了する。
【００３４】
ステップＳ１１０：スキャンして筆跡情報を取得する。詳しくは、画像読取部１０は、原稿Ｍに形成された画像を読み取り読取画像を取得する。そして、制御部３０は、印７２によって囲まれて指定された指定文字データから筆跡情報を取得する。筆跡情報は、ユーザーの筆跡を示す情報である。詳しくは、筆跡情報は、ユーザー固有の文字の書き方の特徴を示す情報である。筆跡情報は、例えば、文字を構成する線分のうち水平方向に延びる線分の傾きである。処理はステップＳ１１２に進む。
【００３５】
ステップＳ１１２：取得した筆跡情報と登録されている各ユーザーの筆跡情報とを照合する。詳しくは、ステップＳ１１０において取得された筆跡情報と、ステップＳ１０８において記憶部４０に記憶されたユーザーの筆跡情報とを照合する。処理はステップＳ１１４に進む。
【００３６】
ステップＳ１１４：制御部３０は、ステップＳ１１２において照合した結果が一致するか否かを判定する。制御部３０が、結果が一致しないと判定した場合（ステップＳ１１４：Ｎｏ）、処理は終了する。制御部３０が、結果が一致すると判定した場合（ステップＳ１１４：Ｙｅｓ）、処理はステップＳ１１６に進む。
【００３７】
ステップＳ１１６：制御部３０は、文書を作成したユーザー名を取得する。したがって、文書を作成したユーザーを特定することができる。処理は終了する。
【００３８】
図１、図２および図６を参照して本発明に係る画像形成装置１００の書き取り用紙印刷方法を説明する。図６は、本発明の実施形態に係る画像形成装置１００の書き取り用紙印刷方法を示すフローチャートである。
【００３９】
ステップＳ２０２：制御部３０は、書き取り用紙作成モードが選択されているか否かを判定する。制御部３０が、書き取り用紙作成モードが選択されていないと判定した場合（ステップＳ２０２：Ｎｏ）、処理はステップＳ２１８に進む。制御部３０が、書き取り用紙作成モードが選択されていると判定した場合（ステップＳ２０２：Ｙｅｓ）、処理はステップＳ２０４に進む。
【００４０】
ステップＳ２０４：書き取り文書をスキャンする。詳しくは、画像読取部１０は、原稿Ｍに形成された画像を読み取り読取画像を取得する。処理はステップＳ２０６に進む。
【００４１】
ステップＳ２０６：制御部３０は、印７２を認識したか否かを判定する。詳しくは、読取画像の中に印７２が含まれるか否かを判定する。制御部３０が、印７２を認識しなかった場合（ステップＳ２０６：Ｎｏ）、処理は終了する。制御部３０が、印７２を認識した場合（ステップＳ２０６：Ｙｅｓ）、処理はステップＳ２０８に進む。
【００４２】
ステップＳ２０８：制御部３０は、印７２の中の文字を認識する。すなわち、制御部３０は、ＯＣＲ機能を用いて印７２によって囲まれて指定された指定文字に対応する指定文字コードを認識する。処理はステップＳ２１０に進む。
【００４３】
ステップＳ２１０：制御部３０は、認識した文字の筆跡情報がユーザー情報と一致するか否かを判定する。制御部３０が、認識した文字の筆跡情報がユーザー情報と一致しないと判定した場合（ステップＳ２１０：Ｎｏ）、処理はステップＳ２１６に進む。制御部３０が、認識した文字の筆跡情報がユーザー情報と一致すると判定した場合（ステップＳ２１０：Ｙｅｓ）、処理はステップＳ２１２に進む。
【００４４】
ステップＳ２１２：制御部３０は、以前に書き順８４を追加したことのあるユーザーであるか否かを判定する。詳しくは、制御部３０は、記憶部４０に記憶されている履歴情報に基づいて、以前に書き順８４を追加したことのあるユーザーであるか否かを判定する。履歴情報とは、ユーザーごとに補助線８２を形成した履歴を示す情報である。制御部３０が、以前に書き順８４を追加したことのあるユーザーでないと判定した場合（ステップＳ２１２：Ｎｏ）、処理はステップＳ２１６に進む。制御部３０が、以前に書き順８４を追加したことのあるユーザーであると判定した場合（ステップＳ２１２：Ｙｅｓ）、処理はステップＳ２１４に進む。
【００４５】
ステップＳ２１４：印７２の中の文字の補助線８２に書き順８４を付けてプリントする。すなわち、制御部３０は、手本文字に書き順８４を付けてプリントする。処理は終了する。
【００４６】
ステップＳ２１６：印７２の中の文字の補助線８２をプリントする。すなわち、制御部３０は、手本文字をプリントする。処理は終了する。
【００４７】
ステップＳ２１８：画像形成装置１００のモードは、通常モードへ移行する。処理は終了する。
【００４８】
図１、図２および図６を参照したように、履歴情報に応じて手本文字に手本文字の書き順８４を付けてプリントできる。したがって、書き順通りに補助線８２を筆記用具でなぞることによって、字の書き方の練習をすることができる。
【００４９】
また、履歴情報に応じて手本文字の量を増やしてもよい。例えば、手本文字を１０個から１２個に増やしてもよい。したがって、ユーザーは、苦手な文字をさらに繰り返して練習することができ、効果的に字を書くことの練習をすることができる。
【００５０】
図１および図７を参照して本発明に係る画像形成装置１００の文字の認識方法を説明する。図７は、本発明の実施形態に係る画像形成装置１００の文字の認識方法を示すフローチャートである。
【００５１】
ステップＳ３０２：制御部３０は、一般的な文字の形状を示す一般文字形状データと、印７２によって囲まれた指定文字のデータとを比較する。一般的な文字の形状とは、所定のフォントによって規定される文字の形状である。処理はステップＳ３０４に進む。
【００５２】
ステップＳ３０４：制御部３０は、指定文字を認識できたかを判定する。詳しくは、制御部３０は、一般的文字形状に基づいて指定文字が複数の文字コードのいずれであるかを決定できたか否かを判定する。制御部３０が、指定文字を認識できなかった場合（ステップＳ３０４：Ｎｏ）、処理はステップＳ３０８に進む。制御部３０が、指定文字を認識できた場合（ステップＳ３０４：Ｙｅｓ）、処理はステップＳ３０６に進む。
【００５３】
ステップＳ３０６：認識できた指定文字に対応する補助線８２をプリントする。詳しくは、制御部３０は、補助線８２を画像形成部２０が被記録媒体Ｐに形成するように制御する。処理は終了する。
【００５４】
ステップＳ３０８：ユーザー固有の文字情報と比較する。詳しくは、制御部３０は、指定文字と筆跡情報とを比較する。処理はステップＳ３１０に進む。
【００５５】
ステップＳ３１０：制御部３０は、指定文字を認識できたかを判定する。詳しくは、制御部３０は、筆跡情報に基づいて指定文字が複数の文字コードのいずれであるかを決定できたか否かを判定する。制御部３０が、指定文字を認識できなかった場合（ステップＳ３１０：Ｎｏ）、処理はステップＳ３１６に進む。制御部３０が、指定文字を認識できた場合（ステップＳ３１０：Ｙｅｓ）、処理はステップＳ３１２に進む。
【００５６】
ステップＳ３１２：制御部３０は、認識した文字を操作パネル１２０に表示させる。処理はステップＳ３１４に進む。
【００５７】
ステップＳ３１４：制御部３０は、認識した文字が意図通りであったか否かを判定する。詳しくは、ユーザーが操作パネル１２０を操作して、操作パネル１２０に表示された文字がユーザーの意図した文字であるか否かを入力する。制御部３０はユーザーからの入力に応じて、認識した文字が意図通りであったか否かを判定する。制御部３０が、認識した文字が意図通りではないと判定した場合（ステップＳ３１４：Ｎｏ）、処理はステップＳ３１６に進む。制御部３０が、認識した文字が意図通りであると判定した場合（ステップＳ３１４：Ｙｅｓ）、処理はステップＳ３０６に進む。
【００５８】
ステップＳ３１６：文字一覧から選択する。詳しくは、制御部３０は、操作パネル１２０に、文字一覧を表示させる。例えば、文字一覧は五十音表である。ユーザーは、文字一覧から文字を選択する。制御部３０は、ユーザーが選択した文字に対応する文字コードを決定文字コードと決定する。処理はステップＳ３０６に進む。この場合には、ステップＳ３０６でユーザーが選択した文字に対応する補助線８２をプリントする。
【００５９】
図１および図８を参照して本発明に係る画像形成装置１００の文字の別の認識方法を説明する。図８は、原稿Ｍａ、原稿Ｍｂおよび原稿Ｍｃの図である。
【００６０】
原稿Ｍａには、ユーザーＡによって手書き文字「あいうえお」が記載されている。原稿Ｍｂは、ユーザーＢによって手書き文字「あいうえお」が記載されている。原稿Ｍｃには、ユーザーＣによって手書き文字「あいうえお」が記載されている。このように、原稿Ｍａ、原稿Ｍｂおよび原稿Ｍｃには、異なるユーザーによって、同じ文字が同じ順番で記載されている。
【００６１】
制御部３０は、一般文字形状データと指定文字とを比較して指定文字が複数の文字コードのいずれであるかを決定できなかった場合、別のユーザーの読取画像に基づいて、指定文字が複数の文字コードのいずれであるかを決定する。例えば、制御部３０は、原稿Ｍａの印７２ａによって囲まれた指定文字を「お」であると認識できなかった場合、他のユーザーであるユーザーＢおよびユーザーＣの５つめに記載されている「お」に基づいて、原稿Ｍａの指定文字を「お」であると決定する。したがって、原稿Ｍに判読しづらい文字があったとしても、制御部３０は、指定文字が複数の文字コードのいずれであるかを決定する。その結果、画像形成装置１００は、指定文字の書き取り用紙８０を印刷することができる。
【００６２】
以上、図面（図１〜図８）を参照しながら本発明の実施形態を説明した。但し、本発明は、上記の実施形態に限られるものではなく、その要旨を逸脱しない範囲で種々の態様において実施することが可能である（例えば、下記に示す（１）〜（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６３】
（１）図２〜図４および図８で示した原稿Ｍ、原稿Ｍａ、原稿Ｍｂ、原稿Ｍｃにおいて、印７２の形状は丸であったがこれに限定されない。例えば、印７２の形状は四角または三角でもよい。
【００６４】
（２）図２、３で示した書き取り用紙８０では、補助線８２は鎖線であったがこれに限定されない。例えば、補助線は鎖線ではなく薄いグレーの線でもよい。
【符号の説明】
【００６５】
１０      画像読取部
２０      画像形成部
３０      制御部
４０      記憶部
７２、７２ａ、７２ｂ、７２ｃ  印
８２      補助線
８４      書き順
８６      分割補助線
１００    画像形成装置
Ｍ、Ｍａ、Ｍｂ、Ｍｃ  原稿
Ｐ        被記録媒体
【図１】
2018004873.tif 000003
【図２】
2018004873.tif 000004
【図３】
2018004873.tif 000005
【図４】
2018004873.tif 000006
【図５】
2018004873.tif 000007
【図６】
2018004873.tif 000008
【図７】
2018004873.tif 000009
【図８】
2018004873.tif 000010